(57)【要約】【課題】本発明では、半田ブリッジを起こしにくいパッド構造を有したプリント配線板等を提供することを目的とするものである。【解決手段】請求項１記載の発明は、基板本体と；基板本体面に設けられ、半田流れ方向と同一方向にいくにしたがって幅が狭くなる部分が形成されたパッドＡ１，Ｂ１と；を具備したことを特徴とする。【選択図】図３
2004127961.tif 000002
【特許請求の範囲】
【請求項１】
基板本体と；
基板本体面に設けられ、半田流れ方向と同一方向にいくにしたがって幅が狭くなる部分が形成されたパッドと；
を具備したことを特徴とするプリント配線板。
【請求項２】
ケース体と；
請求項１記載のプリント配線板の長手方向の端部に端子台を実装するとともに中間部に他の回路部品を実装してなり、前記端子台を前記ケース体外に配置して前記ケース体に収められた回路モジュールと；
を具備していることを特徴とする放電灯点灯装置。
【請求項３】
シャーシと；
シャーシに取付けられた請求項２記載の放電灯点灯装置と；
シャーシに取付けられたランプソケットと；
ランプソケットに取外し可能に支持されて前記放電灯点灯装置で点灯される放電灯と；
を具備していることを特徴とする照明器具。
【発明の詳細な説明】
【０００１】
【発明の属する技術分野】本発明は、各種の回路を構成する回路モジュールが備えるプリント配線板、この放電灯点灯回路をなす回路モジュールを備えて放電灯を点灯させる放電灯点灯装置、およびこの点灯装置を備えた放電灯照明器具等の照明器具に関する。
【０００２】
【従来の技術】電子式の放電灯点灯装置が備えるプリント配線板は、電子部品が半田リフローで接続される電子部品搭載用のパッドを備えている。しかしながら、半田リフローを行う際に、例えば、溶融した半田が所定のパッドからはみ出すことがある（例えば、特許文献１参照）。
【０００３】
【特許文献１】特開平２０００−１８３４６７号公報（第２頁、従来の技術の欄）。
【０００４】
【発明が解決しようとする課題】このような場合、所定のバッドからはみ出した半田は、近接するパッドまで延長しパッド間でいわゆる半田ブリッジを起こすことがあった。したがって、半田リフロー後、半田状態を確実に検査し、必要であれば修正を施さなければならいものである。
【０００５】
そこで、本発明では、半田ブリッジを起こしにくいパッド構造を有したプリント配線板、このプリント配線板を有する放電灯点灯装置、およびこの放電灯点灯装置を用いた照明器具を提供することを目的とするものである。
【０００６】
【課題を解決するための手段】請求項１記載の発明は、基板本体と；基板本体面に設けられ、半田流れ方向と同一方向にいくにしたがって幅が狭くなる部分が形成されたパッドと；を具備したことを特徴とする。
【０００７】
本発明よれば、幅が狭くなる部分が形成されたパッドでは、パッドの幅が狭くなるにつれて半田リフローへの接触量が少なくなり、半田の付着量を徐々に低減することができるので、半田は所定のパッドからはみ出しにくくなる。
【０００８】
したがって、いわゆる半田ブリッジが低減し、品質の良いプリント配線板を提供できる。
【０００９】
請求項２記載の発明は、ケース体と；請求項１記載のプリント配線板の長手方向の端部に端子台を実装するとともに中間部に他の回路部品を実装してなり、前記端子台を前記ケース体外に配置して前記ケース体に収められた回路モジュールと；を具備していることを特徴とする。
【００１０】
請求項３記載の発明は、シャーシと；シャーシに取付けられた請求項２記載の放電灯点灯装置と；シャーシに取付けられたランプソケットと；ランプソケットに取外し可能に支持されて前記放電灯点灯装置で点灯される放電灯と；を具備していることを特徴とする。
【００１１】
【発明の実施の形態】以下、図１〜図４を参照して本発明の一実施形態を説明する。図１に示す照明器具１は、下面が開放した細長い箱状のシャーシ２を備え、このシャーシ２の下面は反射板３で塞がれている。シャーシ２の長手方向両端部にはランプソケットとして例えば蛍光ランプソケット４が夫々取付けられ、これらソケット４は反射板３の長手方向両端部を貫通している。シャーシ２内にはいわゆる電子安定器と称される放電灯点灯装置５が収容されている。この点灯装置５により点灯される放電灯としての直管形蛍光ランプ６が、その長手両端を夫々ランプソケット４に取外し可能に接続支持されて反射板３の下側に配置されている。
【００１２】
図２に示す放電灯点灯装置５は、ケース体１１と、回路モジュール１２とを具備している。ケース体１１は、アルミニューム合金製のベースケース１３およびカバーケース１４とを連結して細長い箱形容器状に形成されている。回路モジュール１２は、その長手方向両端部を除いてケース体１１に収められている。回路モジュール１２は、これをくるむように設けられる図示しない絶縁シートでケース体１１から電気的に絶縁されていて、インバータ制御により電力変換を行なって蛍光ランプ６の点灯制御をするものである。
【００１３】
ベースケース１３の長手方向両端部には夫々固定孔１３ａ（一方のみ図示）が開けられている。これら固定孔１３ａに通される図示しないねじをシャーシ２にねじ込むことにより、放電灯点灯装置５は図２で示す姿勢とは上下逆様の姿勢でシャーシ２に取付けられる。この取付け状態ではベースケース１３がシャーシ２の内面に接触して、放電灯点灯装置５の熱をシャーシ２に放出できる。
【００１４】
カバーケース１４はベースケース１３より短く、それにより回路モジュール１２の長手方向両端部を、ケース体１１の長手方向両端部に露出させている。図２中１４ａはカバーケース１４の長手方向の両端部を折り曲げてなる端板（一方のみ図示）を示していて、この端板１４ａを境に回路モジュール１２の長手方向の端部が露出されている。
【００１５】
回路モジュール４は、プリント配線板１５と、この配線板１５の少なくとも一面に実装された多数の回路部品１６と、入力側端子台１７と、出力側端子台１８とを備えている。端子台１７、１８はケース体１１から露出されたプリント配線板１５の長手方向両端部に個別に実装されている。端子台１７には図示しない電源供給用電線が差し込み接続される。出力側端子台１８には図示しない器具内配線用電線が差込み接続される。
【００１６】
プリント配線板１５は、その一面を主たる各種回路部品１６等の部品実装面とした硬質な絶縁基板と、この他面に積層された銅箔パターン等からなる配線層と、この配線層を覆った半田レジスト層、半田が付着するパッドとを有している。また、多数の回路部品１６と配線層とは蛍光ランプ６の点灯を制御するための点灯回路を形成している。各回路部品１６が実装されたプリント配線板１５の一面は、その長手方向両端部を除いてカバーケース１４で覆われている。
【００１７】
図３は、プリント配線板の他面に形成されたパッド部分のみを抽出して表した図である。図によると、基板本体１５において、ＩＣ用に設けられたＩＣパッドＡおよびＢの一番右側のパッドＡ１，Ｂ１は、半田流れ方向と同一方向に幅が狭くなるように形成されている。このように、幅が狭くなる部分が形成されたパッドでは、パッドの幅が狭くなるにつれて半田リフローへの接触量が少なくなり、半田の付着量を徐々に低減することができるので、半田は所定のパッドからはみ出しにくくなる。したがって、いわゆる半田ブリッジが低減できるものである。なお、半田と基板本体とは、相対的に移動する関係にある。したがって、半田が流れてもよいし、基板が移動してもよい。図３に示した半田流れ方向については、基板は、この反対に方向に移動することを示している。
【００１８】
また、ＩＣパッドＡおよびＢのその他のパッドは、外形ほぼ長方形であるがその長さを交互に長短としている（Ａ２，Ｂ２）。このようにすることによっても、隣接するパッド間の半田ブリッジを防止することができるものである。
【００１９】
さらに、アキシャル部品等は、通常円形に形成されたパッドに形成されたリード線挿通孔にリード線を挿入してパッド上でクリンチ（折り曲げ）することでプリント配線板の部品実装面に実装される。この後、半田リフローすることによりアキシャル部品等は、固定されるものである。パッド上でリード線をクリンチすると、クリンチされたリード線がパッドからはみ出すことがあり、この状態で半田リフローすると、半田がパッドからはみ出し、近接するパッドとの間で半田ブリッジが発生することがあった。
【００２０】
しかし、パッド形状を円形ではなく、半田の流れと同一方向に長い長円形Ｃまたは楕円形等にしたその方向にリード線をクリンチすることによりリード線がパッドからはみ出さないようにする。そうすると、半田リフローしても半田がパッドからはみ出さず、近接するパッドとの間で半田ブリッジが発生するのを防止できる。
【００２１】
【発明の効果】請求項１記載の発明によると、幅が狭くなる部分が形成されたパッドでは、パッドの幅が狭くなるにつれて半田リフローへの接触量が少なくなり、半田の付着量を徐々に低減することができるので、半田は所定のパッドからはみ出しにくくなる。
【００２２】
したがって、いわゆる半田ブリッジが低減し、品質の良いプリント配線板を提供できる。
【００２３】
請求項２の発明によれば、半田付け品質が高い請求項１のプリント配線板を備えているので、それに応じて高品質でかつ安価な放電灯点灯装置を提供できる。
【００２４】
請求項３の発明によれば、半田付け品質が高いプリント配線板を含む請求項２の放電灯点灯装置を備えているので、それに応じて、高品質な照明器具を提供できる。
【図面の簡単な説明】
【図１】本発明の一実施形態に係る照明器具を一部断面して示す側面図。
【図２】図１の照明器具が備える本発明の一実施形態に係る放電灯点灯装置を示す斜視図。
【図３】プリント配線板の他面に形成されたパッド部分のみを抽出して表した図である。
【符号の説明】１…照明器具、２…シャーシ、４…ランプソケット、５…放電灯点灯装置、６…蛍光ランプ（放電灯）、１１…ケース体、１２…回路モジュール、１５…プリント配線板、１５ａ…切断加工面、１５ｂ…凹部、１６…回路部品、１７、１８…端子台。
【図１】
2004127961.tif 000003
【図２】
2004127961.tif 000004
【図３】
2004127961.tif 000005